(57)【要約】【課題】より軽量で安価な建具を提供する。【解決手段】開口を閉塞可能に設けられ前記開口を形成する上枠及び下枠に案内されて移動する障子と、前記上枠及び前記下枠を連結し前記開口を形成する方立と、躯体に固定されて前記下枠を支持する下枠支持部材と、を有し、前記下枠支持部材は、前記障子の移動方向において前記方立よりも前記開口側のみに配置されている。【選択図】図４
2019002229.tif 000002
【特許請求の範囲】
【請求項１】
開口を閉塞可能に設けられ前記開口を形成する上枠及び下枠に案内されて移動する障子と、
前記上枠及び前記下枠を連結し前記開口を形成する方立と、
躯体に固定されて前記下枠を支持する下枠支持部材と、
を有し、
前記下枠支持部材は、前記障子の移動方向において前記方立よりも前記開口側のみに配置されていることを特徴とする建具。
【請求項２】
請求項１に記載の建具であって、
前記方立の下に配置される方立下配置部材を備え、
前記下枠支持部材と前記方立下配置部材とは上下方向において重なる部位を有していることを特徴とする建具。
【請求項３】
請求項２に記載の建具であって、
前記障子は、移動方向に間隔を空けて配置された少なくとも２つの戸車を備えており、
前記開口を閉じた状態の前記障子の前記方立側に位置する前記戸車の下に配置される戸車下配置部材を備え、
前記下枠支持部材と前記戸車下配置部材とは上下方向に連結されていることを特徴とする建具。
【請求項４】
請求項１乃至請求項３のいずれかに記載の建具であって、
前記上枠及び前記下枠を連結して前記開口を形成する戸先枠を有し、
前記戸先枠と、前記開口を閉じた状態における前記障子の前記戸先枠側に位置する前記戸車との下方に位置し、前記躯体に固定されて前記下枠を支持する戸先枠側支持部材を備えていることを特徴とする建具。
【発明の詳細な説明】
【技術分野】
【０００１】
本発明は、開口を閉塞可能に移動する障子を有する建具に関する。
【背景技術】
【０００２】
開口を閉塞可能に移動する障子を有する建具としては、例えば、上枠部材及び下枠部材を有する開口枠に障子であるガラス窓を備え、左右方向にスライドさせて開口を開閉するサッシ窓が知られている(例えば、特許文献１参照)。このようなサッシ窓において、開口枠が見込み方向において外壁より室外側に突出して設けられている場合には、躯体に固定されて、下枠部材をその長手方向におけるほぼ全長に亘って支持するブラケット部材が設けられている。
【先行技術文献】
【特許文献】
【０００３】
【特許文献１】特開２０１３−１４８７９号公報
【発明の概要】
【発明が解決しようとする課題】
【０００４】
上記のような建具は、下枠部材を支持するブラケット部材は、下枠部材の長手方向におけるほぼ全長に亘って設けられているので、サイズが大きいため重量やコストが嵩むという課題がある。
本発明は、かかる課題に鑑みてなされたものであり、その目的とするところは、より軽量で安価な建具を提供することにある。
【課題を解決するための手段】
【０００５】
かかる目的を達成するために本発明の建具は、開口を閉塞可能に設けられ前記開口を形成する上枠及び下枠に案内されて移動する障子と、前記上枠及び前記下枠を連結し前記開口を形成する方立と、躯体に固定されて前記下枠を支持する下枠支持部材と、を有し、前記下枠支持部材は、前記障子の移動方向において前記方立よりも前記開口側のみに配置されていることを特徴とする建具である。
【０００６】
このような建具によれば、躯体に固定されて下枠を支持する下枠支持部材が、障子の移動方向において方立よりも開口側のみに配置されている。すなわち、下枠支持部材は、火災時などのように閉塞した状態を維持したい場合に障子が位置する側となる、方立よりも開口側のみにて下枠を支持している。このため、例えば、火災等により下枠が加熱されても障子の自重による下枠の変形が抑えられるので、障子が開口を閉塞している状態を維持することが可能である。このとき、下枠支持部材は、方立の反開口側には配置されていないので、下枠を支持する部材が下枠の全長に亘って設けられている場合より軽量且つ安価である。このため、効率良く防火性能を高めることが可能である。
【０００７】
かかる建具であって、前記方立の下に配置される方立下配置部材を備え、前記下枠支持部材と前記方立下配置部材とは上下方向において重なる部位を有していることが望ましい。
【０００８】
このような建具によれば、方立の下には、方立下配置部材が配置されているので、方立が加熱された場合であっても、方立下配置部材により方立の長手方向の伸長による下枠の変形が抑制される。また、方立下配置部材は、下枠支持部材と上下方向において重なる部位を有しているので、下枠支持部材によっても、方立の長手方向の伸長、及び、方立の長手方向の伸長による下枠の変形を抑制することが可能である。
【０００９】
かかる建具であって、前記障子は、移動方向に間隔を空けて配置された少なくとも２つの戸車を備えており、前記開口を閉じた状態の前記障子の前記方立側に位置する前記戸車の下に配置される戸車下配置部材を備え、前記下枠支持部材と前記戸車下配置部材とは上下方向に連結されていることが望ましい。
【００１０】
このような建具によれば、開口を閉じた状態の障子の方立側に位置する戸車の下に戸車下配置部材が配置されているので、障子の重量による下枠の変形を抑制することが可能である。また、戸車下配置部材は、躯体に固定されて下枠を支持する下枠支持部材と上下方向において重なる部位が連結されているので、より確実に下枠の変形を抑制することが可能である。
【００１１】
かかる建具であって、前記上枠及び前記下枠を連結して前記開口を形成する戸先枠を有し、前記戸先枠と、前記開口を閉じた状態における前記障子の前記戸先枠側に位置する前記戸車との下方に位置し、前記躯体に固定されて前記下枠を支持する戸先枠側支持部材を備えていることが望ましい。
【００１２】
このような建具によれば、開口を閉じた状態の障子の戸先枠側に位置する戸車の下に戸先枠側支持部材が位置しているので、方立側における下枠の変形のみならず戸先枠側においても、戸先枠側支持部材により障子の自重を支えることが可能である。このため、下枠の変形をより確実に抑えることが可能である。
【発明の効果】
【００１３】
本発明によれば、より軽量で安価な建具を提供することが可能である。
【図面の簡単な説明】
【００１４】
【図１】本実施形態に係る建具を示す内観図である。
【図２】図１におけるＡ−Ａ断面図である。
【図３】本実施形態に係る建具を示す横断面図である。
【図４】枠体支持部材及び下枠補強部材の配置を示す図である。
【図５】変形抑制部材における他の実施例を示す縦断面図である。
【発明を実施するための形態】
【００１５】
以下、本発明の一実施形態に係る建具について図面を参照して説明する。
本実施形態の建具として、例えば、勝手口などに設けられる引戸障子を備えた片引き戸用の建具１を例に挙げて説明する。
【００１６】
以下の説明においては、建物等に取り付けられた状態の建具１を室内側から見たときに、上下となる方向を上下方向、左右となる方向を左右方向、室内外方向である奥行き方向を見込み方向として示す。建具１の各部位であっても、また、建具１を構成する各部材については単体の状態であっても、建物等に取り付けられた状態にて上下方向、左右方向、見込み方向となる方向にて方向を特定して説明する。
【００１７】
図１〜図３に示すように、建具１は、建物に取り付けられた枠体２と、枠体２により案内されて左右方向にスライド移動可能な引戸障子（以下、障子という）３と、躯体４に固定されて枠体２を支持する枠体支持部材５、を有している。
【００１８】
障子３は、矩形状の複層ガラス３１と、複層ガラス３１の周縁部を収容し矩形状に框組みされた框体３２と、を有している。框体３２は、複層ガラス３１の上下に位置する上框３２ａ及び下框３２ｂと、左右に位置する戸先框３２ｃ及び召合せ框３２ｄと、を有している。上框３２ａは、左右方向に間隔を空けて配置される戸先框３２ｃと召合せ框３２ｄとの上端部間に介在されて接合され、下框３２ｂは戸先框３２ｃと召合せ框３２ｄとの下端部間に介在されて接合されている。下框３２ｂの長手方向における両端部側には戸車３０(図４)が設けられている。
【００１９】
枠体２は、上下方向に間隔を空けて配置された上枠２１、および、下枠２２と、上枠２１及び下枠２２の長手方向における一方の端部同士を連結する戸先枠２３と、上枠２１及び下枠２２の長手方向におけるほぼ中央を上下方向に連結する方立２４と、を有している。上枠２１、下枠２２、戸先枠２３、及び、方立２４は、いずれもアルミニウム製の押出成形材である。
【００２０】
上枠２１及び下枠２２には、障子３が案内されるレール２１ａ、２２ａが長手方向に沿って設けられており、障子３は戸先枠２３と方立２４との間に形成されている開口２ａを閉塞可能である。本実施形態の建具１は、枠体２が建物の躯体４に固定された状態で、上枠２１及び下枠２２のレール２１ａ、２２ａが設けられている室外側の部位が外壁１ａより外側に張り出している。
【００２１】
枠体支持部材５は、断面形状がＬ字状をなすスチール製の部材であり、下枠２２の外壁１ａより外側に張り出している部位を下側から支持している。枠体支持部材５は、Ｌ字をなす２つの板部のうちの一方をなす固定板部５ａが、下枠２２の、後述する躯体固定部２２ｃとともに躯体４にビス止めされ、他方の板部がなす支持板部５ｂが下枠２２と上下方向に対面するように配置される。支持板部５ｂは、固定板部５ａから下側のレール２２ａの真下より室外側に至る位置まで設けられている。
【００２２】
枠体支持部材５は、下枠２２において方立２４より戸先枠２３側の２箇所に設けられている。より具体的には、図４に示すように、障子３を閉じた状態で、下枠２２の下にて方立２４と上下方向において重ならない位置、すなわち方立２４の真下を除く位置から、障子３に設けられ方立２４側に位置する戸車３０の軸３０ａの真下よりも戸先枠２３側に至る位置と、戸先枠２３の下にて当該戸先枠２３の真下に重なる位置から、障子３に設けられた戸先枠２３側に位置する戸車３０の軸３０ａの真下よりも方立２４側に至る位置と、の２箇所に設けられている。このため、枠体支持部材５は、方立２４の下、及び、障子３の移動方向において方立２４より開口２ａとは反対側には設けられていない。ここで、方立２４側に設けられている枠体支持部材５が、躯体４に固定されて下枠２２を支持する下枠支持部材に相当し、戸先枠２３側に設けられている枠体支持部材５が、戸先枠側支持制部材に相当する。尚、図４においては、下框３２ｂを破断して、下框３２ｂ内の状態を示している。
【００２３】
下枠２２は、長手方向に沿い見込み方向に並ぶ２つの中空部２２ｄ、２２ｅを有している。２つの中空部２２ｄ、２２ｅは、下枠２２の見込み方向におけるほぼ中央にて分かれており、室外側の中空部２２ｄの上に下側のレール２２ａが設けられている。すなわち、障子３は、枠体２の室外側の中空部２２ｄ上を移動するように構成され、障子３を閉じた状態で召合せ框３２ｄと見込み方向にて対向する位置の室内側に方立２４が設けられている。このため、方立２４は、ほぼ室内側の中空部２２ｅ上に配置されている。
【００２４】
下枠２２の室内側の上部には、躯体４に設けられた額縁４１と室外側にて対向する額縁対向部２２ｆが設けられ、室内側の下部には、躯体４と見込み方向に対面して躯体４に固定される躯体固定部２２ｃが設けられている。また、下枠２２は、額縁対向部２２ｆと躯体固定部２２ｃとの間の室内側にて固定金具６を介して躯体４に固定されている。
【００２５】
下枠２２の室内側の中空部２２ｅ内には、方立２４の下に配置され、火災等により加熱されて伸長した方立２４による下枠２２の変形を抑えるための方立下配置部材としての変形抑制部材７が設けられている。変形抑制部材７は、断面形状がコ字状をなすスチール製の部材であり、室内側の中空部２２ｅを形成する室内側上面部２２ｇと対向する上面対向部７ａと、上面対向部７ａの見込み方向における両端部から下方に垂設された垂設壁部７ｂとを有している。
【００２６】
変形抑制部材７は、上面対向部７ａが室内側上面部２２ｇに当接または近接された状態で室内側の垂設壁部７ｂが、室内側の中空部２２ｅを形成する室内側壁部２２ｈにビス止めされている。変形抑制部材７は、方立２４の左右方向の幅より広く形成されており、戸先枠２３側の端部が、障子３に設けられ方立２４側に位置する戸車３０の軸３０ａの真下よりも戸先側に至るように形成されている。
【００２７】
下枠２２の室外側の中空部２２ｄ内には、開口２ａを閉じた状態の障子３の方立２４側に位置する戸車３０の下に配置され、障子３を閉じた状態において下枠２２にかかる荷重を支持する戸車下配置部材としての下枠補強部材８が設けられている。下枠補強部材８は、断面形状がコ字状をなすスチール製の部材であり、室外側の中空部２２ｄを形成する室外側下面部２２ｉ上に載置される下面載置部８ａと、下面載置部８ａの室外側の縁から上方に延出された上方延出部８ｂと、上方延出部８ｂの上縁から室内側に延出された上部延出部８ｃとを有している。
【００２８】
下枠補強部材８は、下面載置部８ａが室外側下面部２２ｉ上に載置された状態で室外側下面部２２ｉとともに枠体支持部材５の支持板部５ｂにビス止めされて枠体支持部材５と連結されている。下面載置部８ａが支持板部５ｂにビス止めされた状態で上部延出部８ｃが、室外側の中空部２２ｅを形成する室外側上面部２２ｊと近接して対向している。下枠補強部材８は、方立２４の左右方向の幅より広く形成されており、戸先枠２３側の端部が、障子３に設けられ方立２４側に位置する戸車３０の軸３０ａの真下よりも戸先枠２３側に至るように形成されている。
【００２９】
このため、変形抑制部材７と下枠補強部材８との戸先枠２３側の部位と、下枠２２の下に設けられている枠体支持部材５の方立２４側の部位とは、上下方向において重なるように配置されている。
【００３０】
本実施形態の建具１によれば、躯体４に固定されて下枠２２を支持する方立２４側の枠体支持部材５が、方立２４の下、及び、障子３の移動方向において方立２４より開口２ａとは反対側となる反開口側には配置されていない。すなわち、開口２ａを閉じた状態にて障子３が位置する方立２４より開口２ａ側にのみ枠体支持部材５が設けられている。このため、枠体支持部材５は、火災時などのように障子３が開口２ａを閉塞した状態を維持したい場合に、障子３が位置する方立２４より開口２ａ側にて下枠２２を支持している。
【００３１】
このため、例えば、火災等により下枠２２が加熱されても障子３の自重による下枠２２の変形が抑えられるので、障子３が開口２ａを閉塞している状態を維持することが可能である。そして、枠体支持部材５は、方立２４より開口２ａとは反対側には配置されていないので、枠体２を支持する部材が下枠２２の全長に設けられている場合より軽量且つ安価である。このため、効率良く防火性能を高めることが可能である。
【００３２】
また、方立２４の下には、方立２４の長手方向の伸長による下枠２２の変形を抑える変形抑制部材７が配置されているので、方立２４が加熱された場合であっても、変形抑制部材７により方立２４の長手方向の伸長による下枠２２の変形が抑制される。また、変形抑制部材７は、枠体支持部材５と上下方向において重なる部位を有しているので、枠体支持部材５によっても、方立２４の長手方向の伸長、及び、方立２４の長手方向の伸長による下枠２２の変形を抑制することが可能である。
【００３３】
また、開口２ａを閉じた状態の障子３の方立２４側に位置する戸車３０の下に下枠補強部材８が配置されているので、障子３の重量による下枠２２の変形を抑制することが可能である。また、下枠補強部材８は、躯体４に固定されて下枠２２を支持する枠体支持部材５と上下方向において重なる部位が連結されているので、より確実に下枠２２の変形を抑制することが可能である。
【００３４】
また、開口２ａを閉じた状態の障子３の戸先枠２３側に位置する戸車３０の下に戸先枠２３側の枠体支持部材５が位置しているので、方立２４側における下枠２２の変形のみならず戸先枠２３側においても、戸先枠２３側の枠体支持部材５により障子３の自重を支えることが可能である。このため、下枠２２の変形をより確実に抑えることが可能である。
【００３５】
上記実施形態においては、変形抑制部材７が、断面形状がコ字状をなしている例について説明したが、これに限るものではない。例えば、図５に示すように、変形抑制部材７の室内側の垂設壁部７ｂが、室内側中空部を形成する室内側下面部２２ｋの近傍まで垂設されており、室内側の垂設壁部７ｂの下端に室外側に延出された下端延出部７ｃが設けられていてもよい。この場合には、変形抑制部材７の下端延出部７ｃと枠体支持部材５とがより近付くため、下枠２２の変形をより確実に抑制することが可能である。
【００３６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３７】
１  建具、 ２ａ  開口、３  障子、４  躯体、５  枠体支持部材
７  変形抑制部材、 ８  下枠補強部材、２１  上枠、２２  下枠、
２３  戸先枠、２４  方立、３０  戸車
【図１】
2019002229.tif 000003
【図２】
2019002229.tif 000004
【図３】
2019002229.tif 000005
【図４】
2019002229.tif 000006
【図５】
2019002229.tif 000007